(57)【要約】【課題】あらかじめ決めた国以外の国ではＲＤＳ−ＴＭＣを制限することができるＲＤＳ受信機を提供することを目的とする。【解決手段】表示部９に交通情報を表示可能とする国の国識別データをいずれの国のものでもない国識別データに置き換え、ＲＤＳ放送信号に含まれる国識別データが記憶部１０に記憶した国識別データ参照テーブルにあるときは表示部９に交通情報を表示しないようにした。また、ＲＤＳ放送信号に含まれる国識別データが記憶部１０に記憶した国識別データ参照テーブルにないときは表示部９に交通情報を表示するようにした。【選択図】図３
2011211314.tif 000002
【特許請求の範囲】
【請求項１】
ＲＤＳ放送信号から交通情報チャンネルであるＲＤＳ−ＴＭＣを復調してこれに含まれる交通情報を出力するＲＤＳ復調部と、
前記ＲＤＳ復調部が出力する交通情報を表示する表示部と、
ＲＤＳ放送信号がいずれの国の放送局から送信されたかを識別するためのデータである国識別データを複数国について表した国識別データ参照テーブルを記憶する記憶部と、
前記記憶部が記憶した国識別データ参照テーブルに基づき前記表示部に前記ＲＤＳ復調部が出力した交通情報を表示するか否かを判定する制御部とを備え、
前記制御部は、前記表示部に交通情報を表示可能とする国の国識別データをいずれの国のものでもない国識別データに置き換え、ＲＤＳ放送信号に含まれる国識別データが前記記憶部に記憶した国識別データ参照テーブルにあるときは前記表示部に交通情報を表示せず、ＲＤＳ放送信号に含まれる国識別データが前記記憶部に記憶した国識別データ参照テーブルにないときは前記表示部に交通情報を表示することを特徴とするＲＤＳ受信機。
【請求項２】
前記表示部に交通情報を表示可能とする国を入力する入力手段さらに備え、
前記制御部は、前記記憶部が記憶した国識別データ参照テーブルのうち、前記入力手段から入力された国に対応する国識別データをいずれの国のものでもない国識別データに置き換えることを特徴とする請求項１に記載のＲＤＳ受信機。
【請求項３】
前記国識別データは、ＲＤＳ放送信号に含まれるＰＩデータのうち、カントリーコード、事業者コード、および、ロケーションテーブルナンバの少なくとも１つであることを特徴とする請求項１に記載のＲＤＳ受信機。
【請求項４】
前記国識別データは、ＲＤＳ放送信号に含まれるＰＩデータのうち、カントリーコード、事業者コード、および、ロケーションテーブルナンバの全てを含むことを特徴とする請求項３に記載のＲＤＳ受信機。
【請求項５】
前記制御部は、前記表示部に交通情報を表示可能とする国の国識別データをいずれの国のものでもない国識別データに置き換えを行う際、このいずれの国のものでもない国識別データとして、交通情報を表示可能とする国以外の国の国識別データとハミング距離が最も遠くなるデータにすることを特徴とする請求項１に記載のＲＤＳ受信機。
【請求項６】
前記記憶部が記憶した国識別データ参照テーブルは、課金なく受信を許可する国に対応する国識別データを含まないものであることを特徴とする請求項１に記載のＲＤＳ受信機。
【発明の詳細な説明】
【技術分野】
【０００１】
本発明は、ラジオ放送を活用した交通情報チャンネルであるＲＤＳ−ＴＭＣ（Ｒａｄｉｏ  Ｄａｔａ  Ｓｙｓｔｅｍ  Ｔｒａｆｆｉｃ  Ｍｅｓｓａｇｅ  Ｃｈａｎｎｅｌ）で送信される交通情報を受信するＲＤＳ受信機に関する。
【背景技術】
【０００２】
ラジオデータシステム（ＲＤＳ：Ｒａｄｉｏ  Ｄａｔａ  Ｓｙｓｔｅｍ）は、ＦＭ放送において、放送局や放送内容に関する付加的な情報をＲＤＳデータとしてＦＭ放送信号に多重化し、ＦＭ放送の受信側に提供するサービスである。サービスの一例としては、選局中の放送局で放送されている楽曲の曲名をＦＭ放送受信機（以下「ＲＤＳ受信機」という）に表示することなどがある。近年、このＲＤＳデータを受信することが可能なＦＭ放送受信機の普及がヨーロッパ、アメリカ等で進んでいる。
【０００３】
ＲＤＳでは、同じ放送内容が複数の周波数帯にて放送されている。例えば、車両に搭載されたＲＤＳ受信機の受信状態が車両の移動によって悪化しても、ＲＤＳ受信機は、受信中の周波数と異なる周波数で同一の放送内容が放送されている放送局（以下「代替局」という）から、受信品質の良好な代替放送局を探し出し、切り替えを行う。このとき、ＲＤＳ受信機はＲＤＳデータに基づいて放送局の切り替えを行う。
【０００４】
ＲＤＳデータには、代替局が放送されている周波数（以下「代替周波数」という）と、その代替局のＰＩ（Ｐｒｏｇｒａｍ  Ｉｄｅｎｔｉｆｉｃａｔｉｏｎ）データとを記述した、ＡＦ（Ａｌｔｅｒｎａｔｉｖｅ  Ｆｒｅｑｕｅｎｃｙ）リストが含まれている。ＰＩデータは放送局を識別するコードであり、同一の放送内容を放送する放送局には同一のＰＩデータが割り当てられる。ＲＤＳ受信機は、受信中のＦＭ放送から予めＡＦリストを取得し、信号の受信品質が悪化した場合、ＡＦリストに基づいて受信品質の良好な代替局に切り替えることができる。
【０００５】
近年、ＲＤＳデータの一種であるＰＩデータに交通情報を含ませ車両の運転者に提供するシステム（ＲＤＳ−ＴＭＣ）が複数の国・地域にて開始されている。ＲＤＳ−ＴＭＣには交通情報が含まれており、ＲＤＳ受信機はこの交通情報を画面に表する。表示する交通情報は、例えば、画面上に地図を表示することが出来るナビゲーションシステムにおいては、ＲＤＳ−ＴＭＣにて受信した目的地までのルートにおける道の混み具合を空いている順に、青、黄、赤の矢印で示すことができる。この矢印により運転者に行き先途中の渋滞情報を知らせることができる。
【０００６】
従来のＲＤＳ−ＴＭＣにて受信したデータを表示するＲＤＳ受信機としては、受信したＲＤＳデータ中のＰＩデータを抽出し、ＰＩデータの示す国と取得した自車両の現在位置のある国とを比較することによって、比較結果が一致するＲＤＳ放送局のＴＭＣデータを表示するものがある。
【０００７】
なお、この出願の発明に関する先行技術文献としては、例えば、特許文献１が知られている。
【先行技術文献】
【特許文献】
【０００８】
【特許文献１】特開２００２−６４３９１号公報
【発明の概要】
【発明が解決しようとする課題】
【０００９】
ＲＤＳ−ＴＭＣは、現在、主に欧州を中心として普及しつつある。欧州（ＥＵ諸国）は経済的に複数の国々が連合しており、ＲＤＳ受信機を搭載した車両が国境を越えてもその地域の放送を受信には制限がかからないのが一般的である。
【００１０】
一方、ＲＤＳ−ＴＭＣはアジアの各国においても普及が始まっている。特にＡＳＥＡＮ地域では、国境が陸続きの隣接国間で全く同じデータ形式にてＲＤＳ−ＴＭＣが提供されている場合が多い。
【００１１】
しかし、全く同じデータ形式にてＲＤＳ−ＴＭＣが提供されていても、ＡＳＥＡＮ地域は欧州のごとく経済の連合がされておらず課金方法が国ごとに異なる。また、ＲＤＳ−ＴＭＣ放送局は各国がそれぞれのの費用により運営しているため課金が必要となる。
【００１２】
例えば、ある国にて購入されたＲＤＳ受信機は、ＲＤＳ受信機の購入費用にすでにＲＤＳ−ＴＭＣの使用料が含まれており、その使用料は国に納められる。
【００１３】
このように、課金は国ごとに行う必要がある反面、複数の国にて全く同じデータ形式にてＲＤＳ−ＴＭＣが行われているため、以下のような問題がおこる。
【００１４】
ある国にて購入されたＲＤＳ受信機を搭載した車両が、購入した国と異なる国にて、ＲＤＳ−ＴＭＣを受信した場合、購入した国と異なる国のＲＤＳ−ＴＭＣを受信することが可能である。しかし、購入した国と異なる国には使用料が入ることはない。
【００１５】
以上のように、全く同じデータ形式が同じＲＤＳ−ＴＭＣであっても、各国での受信契約の形態が異なっているため、ＲＤＳ受信機を購入した国以外の国ではＲＤＳ−ＴＭＣの受信ができないように再生に制限をかける必要性が生じている。
【００１６】
従来のＲＤＳ受信機は、現在位置のある国に対応するＲＤＳ−ＴＭＣデータを表示するものであり、ＲＤＳ受信機を購入した国以外の国であってもＲＤＳ−ＴＭＣデータを表示してしまうという問題があった。
【００１７】
本発明は、従来の問題を解決するためになされたものであり、あらかじめ決めた国以外の国ではＲＤＳ−ＴＭＣを制限することができるＲＤＳ受信機を提供することを目的とする。
【課題を解決するための手段】
【００１８】
上記目的を達成するために本発明のＲＤＳ受信機は、ＲＤＳ放送信号から交通情報チャンネルであるＲＤＳ−ＴＭＣを復調してこれに含まれる交通情報を出力するＲＤＳ復調部と、前記ＲＤＳ復調部が出力する交通情報を表示する表示部と、ＲＤＳ放送信号がいずれの国の放送局から送信されたかを識別するためのデータである国識別データを複数国について表した国識別データ参照テーブルを記憶する記憶部と、前記記憶部が記憶した国識別データ参照テーブルに基づき前記表示部に前記ＲＤＳ復調部が出力した交通情報を表示するか否かを判定する制御部とを備え、前記制御部は、前記表示部に交通情報を表示可能とする国の国識別データをいずれの国のものでもない国識別データに置き換え、ＲＤＳ放送信号に含まれる国識別データが前記記憶部に記憶した国識別データ参照テーブルにあるときは前記表示部に交通情報を表示せず、ＲＤＳ放送信号に含まれる国識別データが前記記憶部に記憶した国識別データ参照テーブルにないときは前記表示部に交通情報を表示することを特徴とするＲＤＳ受信機。
【発明の効果】
【００１９】
本発明のＲＤＳ受信機は、表示部に交通情報を表示可能とする国の国識別データをいずれの国のものでもない国識別データに置き換え、ＲＤＳ放送信号に含まれる国識別データが記憶部に記憶した国識別データ参照テーブルにあるときは表示部に交通情報を表示しないようにした。これによりＲＤＳ受信機が表示可能としていない国にある場合は交通情報が表示されない。
【００２０】
また、ＲＤＳ放送信号に含まれる国識別データが記憶部に記憶した国識別データ参照テーブルにないときは表示部に交通情報を表示するようにした。これによりＲＤＳ受信機が表示可能としている国にある場合は交通情報が表示される。
【００２１】
以上のように本発明のＲＤＳ受信機は、あらかじめ決めた国以外の国ではＲＤＳ−ＴＭＣを制限することができるという効果を奏する。
【図面の簡単な説明】
【００２２】
【図１】本発明の一実施の形態におけるＲＤＳ受信機のブロック図
【図２】同受信機が使用する国識別データ参照テーブルについて説明するための図
【図３】同受信機の動作を説明するフロー図
【図４】同受信機が使用する国識別データ参照テーブルについて説明するための図
【図５】同受信機が国を超えて移動する場合について説明するための図
【図６】同受信機が使用する国識別データ参照テーブルについて説明するための図
【発明を実施するための形態】
【００２３】
以下、本発明の一実施の形態におけるＲＤＳ受信機について図１〜図３を参照しながら説明する。
【００２４】
図１は本発明の一実施の形態におけるＲＤＳ受信機のブロック図である。また、図２はＲＤＳ受信機の同受信機が使用する国識別データ参照テーブルについて説明するための図である。
【００２５】
図１のＲＤＳ受信機１はＲＤＳ放送局２から送信されるＲＤＳ放送信号を無線にて受信するものである。ＲＤＳ放送局２は複数の国から送信されている。ＲＤＳ放送信号にはラジオの音声信号以外に、ＲＤＳデータという各種情報を記憶したデータが送信される。
【００２６】
図１において、ＲＤＳ受信機１は、フロントエンド３、ＩＦフィルタ４、ＦＭ検波部５、ＲＤＳ復調部６、制御部７、スピーカ８、表示部９、記憶部１０、および、入力部１１を備える。以下、各部について詳細に説明する。
【００２７】
フロントエンド３は、アンテナを備え、このアンテナからＦＭ多重されたＦＭ放送信号を受信する。フロントエンド３は、アンテナで受信されたＦＭ放送信号のうち、ユーザにより指定された放送局または予め定められた放送局のＦＭ放送信号を、中間周波数（ＩＦ：Ｉｎｔｅｒｍｅｄｉａｔｅ  Ｆｒｅｑｕｅｎｃｙ）信号に変換する。
【００２８】
ＩＦフィルタ４は、フロントエンド３により変換された中間周波数信号を、所定のフィルタ帯域幅で帯域制限してフィルタ出力信号を出力する。ＩＦフィルタ４のフィルタ帯域幅は可変であり、制御部７により制御される。
【００２９】
ＦＭ検波部５は、ＩＦフィルタ４により出力されたフィルタ出力信号をＦＭ検波し、検波信号を出力する。また、ＦＭ検波部５は、ＲＤＳ受信機１のＡＦ動作時に所定の放送局の放送されている周波数帯域にある検波信号の電界強度を検出する。
【００３０】
ＲＤＳ復調部６は、ＦＭ検波部５から出力された検波信号から、ＲＤＳデータを抽出するための復調およびデコードの処理を行う。ＲＤＳデータには、代替周波数をリスト化したＡＦリストと、ＰＩデータとが含まれる。また、ＲＤＳ復調部６は、ＦＭ検波部５から出力される検波信号を復調し、Ｌ（ｌｅｆｔ）側の音声信号と、Ｒ（ｒｉｇｈｔ）側の音声信号とを出力する。
【００３１】
また、ＲＤＳ復調部６は、ＦＭ検波部５から出力された検波信号から交通情報チャンネルであるＲＤＳ−ＴＭＣを復調してこれに含まれる交通情報を出力する。
【００３２】
制御部２は、ＲＤＳ受信機１の各部を制御するものである。その他、制御部２は、後述する記憶部１０が記憶した国識別データ参照テーブルに基づき表示部９にＲＤＳ復調部６が出力した交通情報を表示するか否かの判定を行う。この判定方法については、後に詳細に説明する。
【００３３】
制御部２は、図示しないＣＰＵ或いはＭＰＵと、ＲＯＭ（Ｒｅａｄ  Ｏｎｌｙ  Ｍｅｍｏｒｙ）と、ＲＡＭ（Ｒａｎｄｏｍ  Ａｃｃｅｓｓ  Ｍｅｍｏｒｙ）等とから構成されている。ＣＰＵ或いはＭＰＵが、図示しないＲＯＭに格納されるプログラムを実行することによって、図１に示される各機能ブロックの動作が制御される。また、ＣＰＵ及びＭＰＵは、プログラムの実行中、ＲＡＭを作業領域として使用する。
【００３４】
スピーカ８は、制御部７の制御によりＦＭ検波部５が出力した音声信号に基づき、ＲＤＳ受信機１の利用者に音声による報知を行う。この報知は、例えば、放送局が送信するラジオ音声、または音楽などである。
【００３５】
表示部９は、ＲＤＳ復調部６で復調されたＲＤＳデータに基づいて、受信中のＦＭ放送信号についての、周波数、放送局名、放送番組名、放送曲名などの付加情報を表示する。また、表示部９は、ＲＤＳ復調部６が復調したＲＤＳ−ＴＭＣに含まれる交通情報を表示する。
【００３６】
この交通情報の表示とは、例えば、道路の渋滞状況を示す色つきの矢印や、具体的に混雑している地域を言語にて示す文字情報などである。
【００３７】
記憶部１０は、ＲＤＳ放送信号がいずれの国の放送局から送信されたかを識別するためのデータである国識別データを複数国について表した国識別データ参照テーブルを記憶するものである。
【００３８】
図２を用いて国識別データおよび国識別データ参照テーブルについて説明する。
【００３９】
ＲＤＳ放送信号のＰＩデータは「カントリーコード」「事業者コード」、および「ロケーションテーブルコード」を含む。「カントリーコード」はＲＤＳ放送信号を送信した放送局の国を識別するコードである。また「事業者コード」はＲＤＳ放送信号を送信した放送局を識別するコードである。また「ロケーションテーブルコード」はＲＤＳ放送信号を送信した放送局の存在するエリアを識別するコードである。
【００４０】
国識別データ参照テーブルは、複数の国で送信されるこれら３種類のコードを表したテーブルであり、あらかじめ記憶部１０に記憶させている。
【００４１】
本実施の形態では「カントリーコード」「事業者コード」、「ロケーションテーブルコード」の3種類の少なくとも１つを国識別データと呼ぶ。国識別データとしてこれら３種
類のコードの全てを用いてもよいし、いずれか１つを用いてもよい。
【００４２】
国識別データの条件として他の国の国識別データと重複しない固有のデータである必要がある。例えば、図２においては「カントリーコード」のみでは、Ａ国とＤ国とＥ国が重複してしまうので条件を満たさない。そこで「カントリーコード」に加え「事業者コード」も国識別データとして用いることを考える。「事業者コード」も国識別データに加えても、Ｄ国とＥ国が重複してしまう。
【００４３】
そこで、さらに「ロケーションテーブルコード」も国識別データとして用いると、Ｄ国とＥ国を区別することができる。このように、３種類のコードのどこまでを用いるかは、他の国の国識別データと重複しない固有のデータとなるか否かによって決定する。
【００４４】
入力部１１は、聴きたい放送局の周波数の指定や、音声出力のレベルの調整などについて、ＲＤＳ受信機１に対するユーザ操作を受け付ける。その他、ＲＤＳ受信機１の各種設定、例えば、表示部９に交通情報を表示可能とする国を追加で入力することもできる。
【００４５】
以上のように構成されたＲＤＳ受信機１について、図３〜図５を用いてその動作を説明する。図３はＲＤＳ受信機１の動作を説明するフロー図である。また、図４はＲＤＳ受信機１が使用する国識別データ参照テーブルについて説明するための図であり、図５は同受信機が国を超えて移動する場合について説明するための図である。
【００４６】
まず最初に、制御部７は、表示可能国の初期設定を行う（Ｓ０１）。これは、ＲＤＳ受信機１が製品として出荷される国でのみで表示部９に交通情報の表示がなされるようにするための設定である。従って、Ｓ０１はＲＤＳ受信機１が製品として市場に出荷される前に行われる処理である。
【００４７】
これは、具体的には制御部７が、記憶部１０に記憶した国識別データ参照テーブルを更新することで行う。更新の方法を、図４を用いて説明する。
【００４８】
例えば、ＲＤＳ受信機１が製品としてＡ国に出荷されるとすると、制御部７は記憶部１０に記憶した国識別データ参照テーブルのうち、Ａ国に対応する「カントリーコード」「事業者コード」、「ロケーションテーブルコード」の3種類のコード全てを、いずれの国のものでもない固有のコードに書き換える。この書き換えにより表示可能国の初期設定は終了する。
【００４９】
Ｓ０２の次に制御部７は、ＲＤＳ受信信号が受信されているかを判断する。ＲＤＳ受信信号が受信されていない場合（Ｓ０２でＮＯ）、制御部７は処理をＳ０２戻す。ＲＤＳ受信信号が受信されている場合（Ｓ０２でＹＥＳ）、制御部７はＲＤＳ−ＴＭＣを復調する（Ｓ０３）。
【００５０】
Ｓ０３の次に制御部７は、ＲＤＳ放送信号に含まれる国識別データが国識別データ参照テーブルにあるか否かを判定する（Ｓ０４）。Ｓ０４は国識別データ参照テーブルにある全てのデータに対して照合が行われる。
【００５１】
国識別データが国識別データ参照テーブルにない場合、制御部７は復調したＲＤＳ−ＴＭＣに含まれる交通情報を表示部９に表示する。Ｓ０１にて表示可能国はいずれの国のものでもない固有のコードに書き換えている。
【００５２】
従って、国識別データが国識別データ参照テーブルにない場合は、ＲＤＳ受信機１は現在、表示可能国ではない他の国ではなく表示可能国にあることを意味する。そこで、制御
部７は交通情報を表示部９に表示する（Ｓ０５）。
【００５３】
一方、国識別データが国識別データ参照テーブルにある場合、制御部７は処理をＳ０２戻す。国識別データが国識別データ参照テーブルにあるということは、ＲＤＳ受信機１は現在、表示可能国ではない他の国にあることを意味する。そこで、交通情報を表示部９に表示することなく、処理をＳ０２に戻す。
【００５４】
最後に図５を用いて、ＲＤＳ受信機１についての処理動作の一例を説明する。図５はＲＤＳ受信機１が国を超えて移動する場合について説明するための図である。
【００５５】
ＲＤＳ受信機１を搭載した車両がＡ国にあるときは、ＲＤＳ放送信号に含まれる国識別データはＡ国のものであるが、国識別データ参照テーブルのＡ国の国識別データはＳ０１にて存在しないコードに書き換えらえているのでＳ０４はＮＯとなる。Ｓ０４はＮＯのとき、制御部７は交通情報を表示部９に表示する。
【００５６】
続いて、ＲＤＳ受信機１を搭載した車両が国境Ｋを越えてＡ国からＢ国へ進入した場合を考える。ＲＤＳ放送信号に含まれる国識別データはＢ国のものとなる。国識別データ参照テーブルのＢ国の国識別データはＳ０１にて書き換えられていないため、ＲＤＳ放送信号に含まれる国識別データと一致し、Ｓ０４はＹＥＳとなる。Ｓ０４はＹＥＳのとき、制御部７は交通情報を表示部９に表示は行わない。
【００５７】
以上のように本発明の一実施の形態におけるＲＤＳ受信機は、表示部９に交通情報を表示可能とする国の国識別データをいずれの国のものでもない国識別データに置き換え、ＲＤＳ放送信号に含まれる国識別データが記憶部１０に記憶した国識別データ参照テーブルにあるときは表示部９に交通情報を表示しないようにした。これによりＲＤＳ受信機１が表示可能としていない国にある場合は交通情報が表示されない。また、ＲＤＳ放送信号に含まれる国識別データが記憶部１０に記憶した国識別データ参照テーブルにないときは表示部９に交通情報を表示するようにした。これによりＲＤＳ受信機１が表示可能としている国にある場合は交通情報が表示される。
【００５８】
Ｓ０１にて表示可能国に対応する「カントリーコード」「事業者コード」、「ロケーションテーブルコード」の3種類のコード全てをいずれの国のものでもない固有のコードに書き換えるのは以下の理由による。
【００５９】
例えば、表示可能国に対応する「カントリーコード」（４bit）「事業者コード」（８bit）、「ロケーションテーブルコード」（８bit）のみを、表示可能国のコードであることが分かるフラグをつけて記憶部１０に別途記憶しておくこともできる。そして、ＲＤＳ放送信号に含まれる国識別データとこの別途記憶したコードを比較して一致すれば交通情報を表示し、一致しなければ交通情報を表示しないようにする。
【００６０】
このようにしてもあらかじめ決めた国以外の国ではＲＤＳ−ＴＭＣを制限することはできる。しかし、このようにすると、例えば、カントリーコードのみしか設定がない国があり、ＲＤＳ放送信号に含まれる国識別データを復調する際にビット誤りが生じた場合、１／１６の確率をもって、記憶部１０のまだ、国識別データが記録されていない国と誤認識される事が想定される。ゆえに、本来表示が不可能な国の国識別データあったのに、不本意に表示可能国のコードと一致してしまうおそれがある。
【００６１】
そこで、本実施の形態のように、表示可能国の国識別データをあらかじめＲＤＳ受信機の記憶部１０に全て記憶させ、受信したい国の国識別データをいずれの国のものでもない固有のコードに書き換え、または消去することでＲＤＳ放送信号に含まれる国識別データ
が記憶部１０に記憶した国識別データ参照テーブルと一致しないにないときにのみ表示部９に交通情報を表示するようにすることで、不本意に表示可能国のコードと一致してしまうことを防止することができる。
【００６２】
以上のように、本発明の一実施の形態におけるＲＤＳ受信機は、あらかじめ決めた国以外の国ではＲＤＳ−ＴＭＣを制限することができるという効果を奏する。
【００６３】
なお、課金せず自由に受信を許可する国も存在している。本実施の形態において、記憶部１０が記憶した国識別データ参照テーブルから、上記のように課金せず自由に受信を許可する国の国識別データを除外しておくことができる。本実施の形態では、受信した国識別データが国識別データ参照テーブルになければ、交通情報を表示するようにしている。上記のようにすることで、国識別データ参照テーブルの記憶量を少なくしつつ、正確に視聴制限をかけることができるという効果を奏する。
【００６４】
なお、本発明の一実施の形態におけるＲＤＳ受信機において、入力部１１から表示部９に交通情報を表示可能とする国を追加する入力がなされた場合、制御部７は、記憶部１０が記憶した国識別データ参照テーブルのうち、入力部１から入力された国に対応する国識別データを、いずれの国のものでもない国識別データに置き換えるようにすることができる。
【００６５】
例えば、図６に示すようにＣ国でも交通情報を表示可能とするように入力部１から入力された場合は、Ｃ国に対応する「カントリーコード」「事業者コード」、「ロケーションテーブルコード」の3種類のコード全てを、いずれの国のものでもない固有のコードに書き換える。このようにすることにより、ＲＤＳ受信機１を販売した後でも、表示部９に交通情報を表示することができる国を容易に追加することができる。
【００６６】
ただし、追加の課金をすることなく交通情報を表示することができる国を追加できるようにすると使用料を徴収できないという問題が起こるので、受信契約を行った際に所定のパスワードを発行し、このパスワードを入力部１１に入力した場合にのみ、制御部７はいずれの国のものでもない国識別データに置き換えを行うようにすることが望ましい。
【００６７】
また、上記いずれの国のものでもない国識別データの符号は、交通情報を表示可能とする国以外の国の国識別データの符号とハミング距離が最も遠いものとすることが望ましい。「いずれの国のものでもない国識別データの符号」は、どの国に国識別データと一致しないことを目的としているデータである。
【００６８】
一方、実際に受信した国識別データはビット誤りをおこす場合がある。受信した国識別データがビット誤りを起こした場合に、上記「いずれの国のものでもない国識別データの符号」と一致してしまうと本来、交通情報が表示されるべき場合に表示がなされないという不都合が生じる。そこで、ハミング距離が最も遠くしておくことで、ビット誤りを起こした場合の上記不都合を解消することができるという効果を奏する。
【産業上の利用可能性】
【００６９】
以上のように本発明は、ラジオ放送を活用した交通情報チャンネルであるＲＤＳ−ＴＭＣで送信される交通情報を受信するＲＤＳ受信機等に有用である。
【符号の説明】
【００７０】
１    ＲＤＳ受信機
２    ＲＤＳ放送局
３    フロントエンド
４    ＩＦフィルタ
５    ＦＭ検波部
６    ＲＤＳ復調部
７    制御部
８    スピーカ
９    表示部
１０  記憶部
１１  入力部
【図１】
2011211314.tif 000003
【図２】
2011211314.tif 000004
【図３】
2011211314.tif 000005
【図４】
2011211314.tif 000006
【図５】
2011211314.tif 000007
【図６】
2011211314.tif 000008